(57)【要約】【課題】差圧流量計のゼロ点ずれが生じても濃度の相違を解消することが可能な基板処理装置を提供する。【解決手段】基板処理装置１は、第１の液体Ｃと第２の液体Ｄとが混合した混合液体Ｍを供給して基板Ｗを処理する基板処理部４０と、第１の液体Ｃを流す第１の供給管３１に設けられ、差圧で流量を計測して流量を調節する第１の流量調節装置１０と、第２の液体Ｄを流す第２の供給管３２に設けられ、差圧で流量を計測して流量を調節する第２の流量調節装置２０と、第１の流量調節装置１０を通過した第１の液体Ｃと第２の流量調節装置２０を通過した第２の液体Ｄとを混合させた混合液体Ｍを基板処理部４０に導く混合液体管３３に設けられた濃度計５１と、基板処理部４０における基板Ｗの処理に適した混合液体Ｍの濃度である適合濃度と、濃度計５１で計測された濃度との差が所定の値を超えたときに、相違解消対策を講ずる制御装置６０とを備える。【選択図】図１
2014229181.tif 000002
【特許請求の範囲】
【請求項１】
第１の液体と、前記第１の液体とは異なる種類の第２の液体とが混合した混合液体を、基板に供給して前記基板を処理する基板処理部と；
前記第１の液体を流す第１の供給管と；
前記第１の供給管に設けられた第１の流量調節装置であって、差圧によって前記第１の液体の流量を計測する第１の流量計測部と、前記第１の液体の流量を調節する第１の流量調節部とを有する第１の流量調節装置と；
前記第２の液体を流す第２の供給管と；
前記第２の供給管に設けられた第２の流量調節装置であって、差圧によって前記第２の液体の流量を計測する第２の流量計測部と、前記第２の液体の流量を調節する第２の流量調節部とを有する第２の流量調節装置と；
前記第１の流量調節装置を通過した前記第１の液体と、前記第２の流量調節装置を通過した前記第２の液体とを混合させた前記混合液体を、前記基板処理部に導く混合液体管と；
前記混合液体管に設けられた濃度計であって、前記混合液体における前記第１の液体の濃度を計測する濃度計と；
前記基板処理部における前記基板の処理に適した前記混合液体の濃度である適合濃度と、前記濃度計で計測された濃度との差が所定の値を超えたときに、相違解消対策を講ずる制御装置とを備える；
基板処理装置。
【請求項２】
前記混合液体管に設けられて前記混合液体の流量を計測する流量計を備え；
前記制御装置が、前記流量計で計測された前記混合液体の流量が前記基板処理部における前記基板の処理に適した流量となるように、前記第１の流量調節装置を通過する前記第１の液体の流量及び前記第２の流量調節装置を通過する前記第２の液体の流量を調節する；
請求項１に記載の基板処理装置。
【発明の詳細な説明】
【技術分野】
【０００１】
本発明は基板処理装置に関し、特に差圧流量計のゼロ点ずれが生じても濃度の相違を解消することが可能な基板処理装置に関する。
【背景技術】
【０００２】
半導体ウエハ等の基板は、その表面への銅めっき処理やＣＭＰ（化学的機械的研磨）処理の後に、洗浄処理が行われるのが一般的である。この洗浄処理を行う洗浄装置は、通常、基板を回転保持装置により水平に保持しながら回転させ、回転している基板に洗浄液を供給することにより基板の洗浄を行う（例えば、特許文献１参照。）。
【先行技術文献】
【特許文献】
【０００３】
【特許文献１】特開２００５−０７９２１６号公報（段落００２０、図１等）
【発明の概要】
【発明が解決しようとする課題】
【０００４】
洗浄液は、洗浄の条件に適合した種類及び濃度の薬液が用いられることとなる。薬液の濃度は、所定の流量の薬液に対して混合させる純水の流量を調節することで、調節することができる。薬液及び純水の流量は、それぞれの流体のラインに差圧流量計を有する流量コントローラを設置することで、正確な調節を行うことが可能となる。しかしながら、流量コントローラの差圧流量計にゼロ点ずれが発生した場合、自身の表示は正常値を示しているため、エラーを出力することなく、実流量と表示流量とにずれが生じた状態が継続することとなる。この場合、薬液の濃度が洗浄の条件に適合したものではなくなり、プロセス性能に影響することが懸念される。
【０００５】
本発明は上述の課題に鑑み、差圧流量計のゼロ点ずれが生じても濃度の相違を解消することが可能な基板処理装置を提供することを目的とする。
【課題を解決するための手段】
【０００６】
上記目的を達成するために、本発明の第１の態様に係る基板処理装置は、例えば図１に示すように、第１の液体Ｃと、第１の液体Ｃとは異なる種類の第２の液体Ｄとが混合した混合液体Ｍを、基板Ｗに供給して基板Ｗを処理する基板処理部４０と；第１の液体Ｃを流す第１の供給管３１と；第１の供給管３１に設けられた第１の流量調節装置１０であって、差圧によって第１の液体Ｃの流量を計測する第１の流量計測部１１と、第１の液体Ｃの流量を調節する第１の流量調節部１２とを有する第１の流量調節装置１０と；第２の液体Ｄを流す第２の供給管３２と；第２の供給管３２に設けられた第２の流量調節装置２０であって、差圧によって第２の液体Ｄの流量を計測する第２の流量計測部２１と、第２の液体Ｄの流量を調節する第２の流量調節部２２とを有する第２の流量調節装置２０と；第１の流量調節装置１０を通過した第１の液体Ｃと、第２の流量調節装置２０を通過した第２の液体Ｄとを混合させた混合液体Ｍを、基板処理部４０に導く混合液体管３３と；混合液体管３３に設けられた濃度計５１であって、混合液体Ｍにおける第１の液体Ｃの濃度を計測する濃度計５１と；基板処理部４０における基板Ｗの処理に適した混合液体Ｍの濃度である適合濃度と、濃度計５１で計測された濃度との差が所定の値を超えたときに、相違解消対策を講ずる制御装置６０とを備える。
【０００７】
このように構成すると、差圧によって流体の流量を計測する第１の流量計測部及び／又は第２の流量計測部のゼロ点ずれが生じても、混合液体の基板処理部への供給を継続しながら濃度の相違を解消することが可能になる。
【０００８】
また、本発明の第２の態様に係る基板処理装置は、例えば図１に示すように、上記本発明の第１の態様に係る基板処理装置１において、混合液体管３３に設けられて混合液体Ｍの流量を計測する流量計５２を備え；制御装置６０が、流量計５２で計測された混合液体Ｍの流量が基板処理部４０における基板Ｗの処理に適した流量となるように、第１の流量調節装置１０を通過する第１の液体Ｃの流量及び第２の流量調節装置２０を通過する第２の液体Ｄの流量を調節する。
【０００９】
このように構成すると、混合液体の濃度のみならず混合液体の流量も、混合液体を基板処理部に供給しながら適切に補正することができる。
【発明の効果】
【００１０】
本発明によれば、差圧によって流体の流量を計測する第１の流量計測部及び／又は第２の流量計測部のゼロ点ずれが生じても、混合液体の基板処理部への供給を継続しながら濃度の相違を解消することが可能になる。
【図面の簡単な説明】
【００１１】
【図１】本発明の実施の形態に係る基板処理装置の模式的系統図である。
【図２】本発明の実施の形態に係る基板処理装置における混合液の濃度及び流量の制御を示すフローチャートである。
【図３】本発明の実施の形態に係る基板処理装置における混合液の濃度の制御を示すフローチャートである。
【発明を実施するための形態】
【００１２】
以下、図面を参照して本発明の実施の形態について説明する。なお、各図において互いに同一又は相当する部材には同一あるいは類似の符号を付し、重複した説明は省略する。
【００１３】
まず図１を参照して、本発明の実施の形態に係る基板処理装置１を説明する。図１は、基板処理装置１の模式的系統図である。基板処理装置１は、第１の液体としての薬液Ｃを流す第１の供給管としての薬液供給管３１と、薬液供給管３１に設けられた第１の流量調節装置としての薬液流量コントローラ１０と、第２の液体としての純水Ｄを流す第２の供給管としての純水供給管３２と、純水供給管３２に設けられた第２の流量調節装置としての純水流量コントローラ２０と、薬液Ｃと純水Ｄとが混合した混合液体としての混合液Ｍを流す混合液体管としての混合液管３３と、混合液Ｍの濃度を計測する混合液濃度計５１と、混合液Ｍの流量を計測する混合液流量計５２と、基板Ｗを洗浄処理する基板処理部としての洗浄機４０と、制御装置６０とを備えている。
【００１４】
本実施の形態で処理される基板Ｗは、典型的には配線パターンに応じた溝が表面に形成された二酸化珪素膜付きの円形基板であり、例えばこの二酸化珪素膜の上にバリアメタルとしてチタンナイトライド膜や窒化タンタル膜が形成され、この上にタングステン膜や銅膜が形成される等、各種の膜が形成されている。薬液Ｃは、アンモニア過水等の、処理される基板Ｗの洗浄に適したものが用いられる。純水Ｄは、脱イオン水（ＤＩＷ）とも言われるものである。
【００１５】
薬液流量コントローラ１０は、薬液供給管３１を流れる薬液Ｃの流量を、設定値に制御する装置であり、第１の流量計測部としての薬液差圧流量計１１と、第１の流量調節部としての薬液流量調節弁１２と、薬液制御部１３とを有している。薬液差圧流量計１１は、オリフィス（不図示）と、オリフィスの上流側の圧力を検出する上流圧力センサ（不図示）と、オリフィスの下流側の圧力を検出する下流圧力センサ（不図示）とを有している。上流圧力センサ及び下流圧力センサは、本実施の形態では、共に、ダイヤフラム式で圧力を検出するセンサとなっている。このような構成の薬液差圧流量計１１は、動く部分が少ないため故障しにくく、圧力損失が比較的小さく、構造が簡単で入手しやすいという利点がある。薬液差圧流量計１１は、取り扱う流体の密度をあらかじめ入力しておくことにより、質量流量として出力するように構成されている。薬液流量調節弁１２は、アクチュエータ（不図示）を有し、薬液制御部１３からの信号に応じて開度を調節することができるように構成されている。薬液制御部１３は、薬液差圧流量計１１で計測された流量の情報を受けて、計測された流量が設定値となるように薬液流量調節弁１２の開度を調節する部位である。薬液制御部１３は、薬液差圧流量計１１で計測された流量と、設定された流量（流量設定値）とを表示する表示部（不図示）を有している。
【００１６】
純水流量コントローラ２０は、純水供給管３２を流れる純水Ｄの流量を設定値に制御する装置であり、第２の流量計測部としての純水差圧流量計２１と、第２の流量調節部としての純水流量調節弁２２と、純水制御部２３とを有している。純水流量コントローラ２０は、薬液流量コントローラ１０と同様に構成されており、純水差圧流量計２１、純水流量調節弁２２、純水制御部２３が、それぞれ、薬液流量コントローラ１０における薬液差圧流量計１１、薬液流量調節弁１２、薬液制御部１３に相当する。以下の説明において、薬液流量コントローラ１０及び純水流量コントローラ２０の共通の性質に言及するために両者を総称するときは、単に「流量コントローラ１０、２０」ということとする。また、薬液差圧流量計１１及び純水差圧流量計２１を、単に「差圧流量計１１、２１」と総称する場合もある。
【００１７】
薬液供給管３１及び純水供給管３２は、それぞれの一端が、混合液管３３の一端に接続されており、薬液供給管３１を流れた薬液Ｃと純水供給管３２を流れた純水Ｄとを合流させて混合液管３３に導くことができるように構成されている。混合液管３３の他端は、洗浄機４０に接続されている。薬液供給管３１には、混合液管３３との接続部と薬液流量コントローラ１０との間に、薬液Ｃの流れを遮断可能な薬液供給弁３１ｖが配設されている。純水供給管３２には、混合液管３３との接続部と純水流量コントローラ２０との間に、純水Ｄの流れを遮断可能な純水供給弁３２ｖが配設されている。混合液管３３には、薬液Ｃと純水Ｄとの混合の状態をより均一化するミキサー５３と、上述した混合液濃度計５１及び混合液流量計５２が配設されている。
【００１８】
混合液濃度計５１は、混合液Ｍにおける薬液Ｃの濃度を計測するものである。混合液濃度計５１は、薬液流量コントローラ１０の薬液差圧流量計１１及び純水流量コントローラ２０の純水差圧流量計２１が質量流量を出力するものであるため、質量濃度を計測するものが用いられる。混合液濃度計５１は、典型的には、混合液Ｍを構成する薬液Ｃ及び純水Ｄの比率を把握することができれば足り、混合液Ｍの種類に応じて、混合液ＭのｐＨを測定するものや、混合液Ｍの伝導度を計測するものを用いてもよい。
【００１９】
混合液流量計５２は、混合液Ｍの流量を計測するものである。混合液流量計５２は、高精度で質量流量を計測することができるものを用いるのが好ましく、本実施の形態ではコリオリ式流量計が用いられている。本実施の形態では、コリオリ式流量計（混合液流量計５２）を、混合液管３３に設けることで、薬液供給管３１及び純水供給管３２のそれぞれに設ける場合に比べて、コリオリ式流量計の設置個数を削減し、もって圧力損失の増大及びコストの増大を抑制している。
【００２０】
洗浄機４０は、前工程（不図示）で銅めっき処理やＣＭＰ処理が行われた基板Ｗの洗浄を行う機器である。したがって、ここでの基板Ｗの処理は、洗浄となる。つまり、洗浄は処理の一形態である。洗浄機４０は、詳細な図示は省略するが、典型的には、ローラチャックやスピンチャックで保持された基板Ｗを水平面内で回転させながら、ロールスポンジやペンシル型スポンジ等の洗浄部材で擦ることで、基板Ｗのパーティクルを除去するように構成されている。洗浄機４０では、洗浄部材で基板Ｗを洗浄する際に、混合液濃度計５１及び混合液流量計５２を通過した混合液Ｍが基板Ｗに供給されるように構成されており、混合液Ｍが供給されることで基板Ｗの洗浄レベルが向上することとなる。基板Ｗの洗浄を行う際には、その基板Ｗの洗浄に適した混合液Ｍ中における薬液Ｃの割合（これを「適合濃度」ということとする）があるため、薬液Ｃに適宜純水Ｄを混合させた混合液Ｍとすることで、適合濃度の混合液Ｍを基板Ｗに供給することとしている。また、基板Ｗの洗浄には、最低限必要な混合液Ｍの流量がある一方で、混合液Ｍの無駄な消費を回避する観点から、過度の流量の混合液Ｍを供給するのを回避するのが好ましく、基板Ｗの洗浄に適した混合液Ｍの流量を「適合流量」ということとする。
【００２１】
制御装置６０は、薬液流量コントローラ１０と信号ケーブルで接続されており、薬液差圧流量計１１で計測された流量を、薬液制御部１３を介して信号として受信することができると共に、薬液制御部１３に流量設定値を変更する信号を送信することができるように構成されている。また、制御装置６０は、純水流量コントローラ２０と信号ケーブルで接続されており、純水差圧流量計２１で計測された流量を、純水制御部２３を介して信号として受信することができると共に、純水制御部２３に流量設定値を変更する信号を送信することができるように構成されている。また、制御装置６０は、混合液濃度計５１と信号ケーブルで接続されており、混合液濃度計５１で計測された濃度（これを「実測濃度」ということとする）を信号として受信することができるように構成されている。また、制御装置６０は、混合液流量計５２と信号ケーブルで接続されており、混合液流量計５２で計測された流量（これを「実測流量」ということとする）を信号として受信することができるように構成されている。また、制御装置６０は、受信した実測濃度及び実測流量の情報から、混合液Ｍを構成する薬液Ｃ及び純水Ｄそれぞれの流量を算出することができるように構成されている。また、制御装置６０は、アラーム（不図示）と信号ケーブルで接続されており、所定の条件を充足したときにアラームを作動させることができるように構成されている。
【００２２】
引き続き図１を参照して、基板処理装置１の作用を説明する。基板処理装置１の運転に先立ち、制御装置６０は、混合液Ｍが適合濃度及び適合流量となるように、薬液流量コントローラ１０の流量設定値及び純水流量コントローラ２０の流量設定値を算出し、算出した値を薬液制御部１３及び純水制御部２３にそれぞれ送信する。また、薬液供給弁３１ｖ及び純水供給弁３２ｖを開にしておく。そして、基板処理装置１には、外部から薬液Ｃ及び純水Ｄが供給される。供給された薬液Ｃは、薬液供給管３１を流れ、薬液流量コントローラ１０において設定された流量に調節されて混合液管３３に流入する。他方、供給された純水Ｄは、純水供給管３２を流れ、純水流量コントローラ２０において設定された流量に調節されて混合液管３３に流入する。それぞれ設定流量に調節されて混合液管３３に流入した薬液Ｃ及び純水Ｄは、ミキサー５３で均一に混合されて混合液Ｍとなったうえで洗浄機４０に供給され、基板Ｗの洗浄に用いられる。混合液Ｍは、ミキサー５３を出て洗浄機４０に至る間に、混合液濃度計５１で濃度が計測されると共に混合液流量計５２で流量が計測されて、実測濃度及び実測流量がそれぞれ制御装置６０に送信される。
【００２３】
上述のように作用する基板処理装置１では、薬液Ｃの流量が薬液流量コントローラ１０で設定値に調節され、純水Ｄの流量が純水流量コントローラ２０で設定値に調節されるので、通常、適合濃度及び適合流量の混合液Ｍが洗浄機４０に供給されることとなる。しかし、薬液流量コントローラ１０を構成する薬液差圧流量計１１及び／又は純水流量コントローラ２０を構成する純水差圧流量計２１は、わずかなダイヤフラムの変形でゼロ点のドリフトが生じ得る。各差圧流量計１１、２１を構成する上流圧力センサ（不図示）及び下流圧力センサ（不図示）のドリフト量が異なると、ある実際に流れた流量に対して検出する差圧が変化することとなり、各流量コントローラ１０、２０に表示（認識）される流量と実際に流れる流量とにずれが生じることとなる。すると、混合液Ｍの濃度及び流量が、適合濃度及び適合流量でなくなる可能性があり、洗浄機４０における洗浄に悪影響を及ぼすおそれが生じる。本実施の形態では、このような不都合を回避するべく、以下のような対策を施している。
【００２４】
図２は、基板処理装置１における混合液Ｍの濃度及び流量の制御を示すフローチャートである。以下の説明において、基板処理装置１の構成に言及しているときは適宜図１を参照することとする。上述のように、基板処理装置１に薬液Ｃ及び純水Ｄが供給されると、混合液Ｍが生成され、洗浄機４０における基板Ｗの洗浄が開始される（Ｓ１）。混合液Ｍが洗浄機４０に供給されている際、制御装置６０は、混合液流量計５２から実測流量の信号を受信する（Ｓ２）。また、制御装置６０は、混合液濃度計５１から実測濃度の信号を受信する（Ｓ３）。なお、図２では、便宜上、混合液流量計５２から実測流量を得る工程（Ｓ２）の次に混合液濃度計５１から実測濃度を得る工程（Ｓ３）を行うように示しているが、実際は、これら両工程（Ｓ２、Ｓ３）は、同時に随時行われている。
【００２５】
次に、制御装置６０は、信号として受信した実測流量及び実測濃度から、流量及び濃度を計測した混合液Ｍ中の、薬液Ｃ分の流量と、純水Ｄ分の流量とを、それぞれ算出する（Ｓ４）。ここで、計算で求められた薬液Ｃ分の流量を「算出薬液流量」といい、計算で求められた純水Ｄ分の流量を「算出純水流量」ということとする。次に、制御装置６０は、受信した実測濃度を適合濃度と対比すると共に、実測流量を適合流量と対比して、両方共実質的に一致しているか否かを判断する（Ｓ５）。ここで、「実質的に一致」とは、対比した値が完全に一致していなくても、ずれが許容範囲内である場合は一致しているとみなすことを意味している。本実施の形態では、対比した値のずれが、洗浄機４０における基板Ｗの洗浄に悪影響を及ぼすことのない第１の所定の値以下の場合に、実質的に一致しているとみなすこととしている。
【００２６】
対比した２つの項目が両方共実質的に一致しているか否かを判断する工程（Ｓ５）において、一致していない場合、制御装置６０は、算出薬液流量と薬液流量コントローラ１０の流量設定値との差、及び算出純水流量と純水流量コントローラ２０の流量設定値との差を確認する（Ｓ６）。次に、制御装置６０は、それぞれの算出された流量と流量設定値との差が、第２の所定の値以下か否かを判断する（Ｓ７）。第２の所定の値は、後述する補正で対応することができる範囲で適宜決定した上限値であり、例えば流量設定値の１０％と決定することができる。それぞれの算出された流量と流量設定値との差が第２の所定の値以下か否かを判断する工程（Ｓ７）において、少なくとも一方が第２の所定の値を超えた場合、アラームを作動させて注意を喚起する（Ｓ８）。この注意喚起により、洗浄機４０における基板Ｗの洗浄を迅速に中断させることが可能になる。なお、アラームの作動はメンテナンスの実行に結びつき、算出された流量と流量設定値との差をメンテナンスによって解消することが可能となるから、アラームの作動は相違解消対策の一形態といえる。
【００２７】
他方、それぞれの算出された流量と流量設定値との差が第２の所定の値以下か否かを判断する工程（Ｓ７）において、両者共に第２の所定の値以下の場合、制御装置６０は、薬液Ｃ及び純水Ｄの双方に関し、算出された流量と流量設定値との差の分だけ流量設定値を補正する（Ｓ９）。補正は、算出薬液流量が薬液流量コントローラ１０の流量設定値よりも大きい場合は、これらの差の分だけ流量設定値を小さくし、逆に、算出薬液流量が薬液流量コントローラ１０の流量設定値よりも小さい場合は、これらの差の分だけ流量設定値を大きくする。算出純水流量と純水流量コントローラ２０の流量設定値とに差がある場合も同様である。このように補正することで、薬液差圧流量計１１及び／又は純水差圧流量計２１にゼロ点ずれが生じていても、混合液Ｍを洗浄機４０に供給しながらにして、各流量コントローラ１０、２０における流量を適切に調節することができる。そして、各流量コントローラ１０、２０における流量表示にかかわらず（流量表示が設定値からずれていたとしても）、各流量コントローラ１０、２０における流量が適切に調節されることで、洗浄機４０に供給される混合液Ｍは、適合濃度かつ適合流量となる。このように、補正（Ｓ９）は、相違解消対策の一形態である。
【００２８】
流量設定値を補正したら（Ｓ９）、再び対比した２つの項目が両方共実質的に一致しているか否かを判断する工程（Ｓ５）に戻る。対比した２つの項目が両方共実質的に一致しているか否かを判断する工程（Ｓ５）において、両方共実質的に一致している場合、基板Ｗの洗浄が終了したか否かを判断する（Ｓ１０）。基板Ｗの洗浄が終了していない場合、対比した２つの項目が両方共実質的に一致しているか否かを判断する工程（Ｓ５）に戻る。このようにして、基板Ｗの洗浄が終了するまで、混合液Ｍの濃度及び流量を洗浄に適した値に維持するように努めている。他方、基板Ｗの洗浄が終了したか否かを判断する工程（Ｓ１０）において、基板Ｗの洗浄が終了した場合、基板処理装置１への薬液Ｃ及び純水Ｄの供給が停止されて終了する。
【００２９】
以上で説明したように、本実施の形態に係る基板処理装置１によれば、薬液流量コントローラ１０の薬液差圧流量計１１及び／又は純水流量コントローラ２０の純水差圧流量計２１にゼロ点ずれが生じた場合であっても、混合液Ｍの洗浄機４０への供給を継続しながら薬液Ｃ及び／又は純水Ｄの流量を調節（補正）することができ、洗浄機４０に供給される混合液Ｍを適合濃度かつ適合流量に維持することができる。また、実測流量及び実測濃度から混合液Ｍ中の薬液Ｃ分の流量と純水Ｄ分の流量とをそれぞれ算出し、算出された流量と流量設定値との差に応じて流量設定値を補正するので、混合液Ｍの濃度及び／又は流量が適合濃度あるいは適合流量からずれた場合に、迅速に適合濃度あるいは適合流量に戻すことができる。
【００３０】
なお、本実施の形態では、実測流量及び実測濃度から混合液Ｍ中の薬液Ｃ分の流量及び純水Ｄ分の流量を算出し、算出された値に基づいて流量設定値を補正している。このため、本実施の形態では、制御装置６０は、薬液流量コントローラ１０及び純水流量コントローラ２０の流量設定値を指令する指令装置としての制御装置となっており、薬液流量コントローラ１０及び純水流量コントローラ２０が実質的な制御を行う装置として機能している。したがって、制御のぶつかり合いを排除することができ、安定した制御が可能となる。本実施の形態では、流量設定値の補正を所定の時間間隔で行うこととすることができる。薬液差圧流量計１１及び純水差圧流量計２１の経年変化によるゼロ点ずれは短期間に生じるものではないので、所定の時間間隔を、例えば１日、あるいは１月としてもよい。また、例えば所定の時間間隔を１秒とした場合は、経年変化以外に起因するゼロ点ずれにも対応することができる。流量設定値の補正を所定の時間間隔で行う場合、図２のフローにおける、対比した２つの項目が両方共実質的に一致しているか否かを判断する工程（Ｓ５）を所定の時間間隔で行うこととしてもよい。この場合は、基板Ｗの洗浄が終了したか否かを判断する工程（Ｓ１０）を、対比した２つの項目が両方共実質的に一致しているか否かを判断する工程（Ｓ５）の前に行うと共に、基板Ｗの洗浄が終了したか否かを判断する工程において終了していない場合に上記所定の時間が経過したか否かを判断し、所定の時間が経過していない場合は基板Ｗの洗浄が終了したか否かを判断する工程に戻り、所定の時間が経過した場合に、対比した２つの項目が両方共実質的に一致しているか否かを判断する工程に進むこととするとよい。
【００３１】
以上の説明では、実測流量及び実測濃度から混合液Ｍ中の薬液Ｃ分の流量及び純水Ｄ分の流量を算出することとしたが、このような計算をせずに、実測流量及び実測濃度に基づいて、薬液流量コントローラ１０及び／又は純水流量コントローラ２０を制御することとしてもよい。一例として、以下のような制御が挙げられる。制御装置６０は、混合液Ｍの流量及び濃度の２つの変量を制御することとする。制御装置６０は、まず、混合液Ｍの流量制御として、実測流量が適合流量になるように、薬液Ｃの流量及び純水Ｄの流量の増減を同じ方向に行い、次に、混合液Ｍの濃度制御として、実測濃度が適合濃度になるように、薬液Ｃの流量及び純水Ｄの流量の増減を、一方を増方向に、他方を減方向に行うように、薬液流量コントローラ１０及び純水流量コントローラ２０の設定値を調節する。このとき、薬液流量コントローラ１０及び純水流量コントローラ２０の設定値に応じてそれぞれの増減の幅を定めるとよい。例えば、薬液Ｃの流量設定値が１０、純水Ｄの流量設定値が９０であるとした場合、混合液Ｍの適合流量は１００となるはずであるが、実測流量が１１０であったとする。この場合は、薬液Ｃ及び純水Ｄの流量設定値を両者とも減方向に変更するのであるが、それぞれ同量の５ずつ減らすのではなく、薬液Ｃの流量設定値を１、純水Ｄの流量設定値を９だけ減らす。このようにすると、遅れて行われる濃度制御における設定値の変更幅を抑制することができる。例えば、混合液Ｍの流量は適合流量と差があるが、濃度は適合濃度である場合は、濃度制御における設定値の変更を実質的に行わずに済む。このような制御において、制御装置６０は、薬液流量コントローラ１０及び純水流量コントローラ２０の設定値を調節することにより、薬液流量コントローラ１０及び純水流量コントローラ２０を介して混合液Ｍの流量と濃度とを制御する、いわゆるカスケード制御装置である。薬液Ｃ及び純水Ｄの流量は、それぞれ薬液流量コントローラ１０及び純水流量コントローラ２０で独立に制御されるので、安定した制御が可能である。なお、上述の例は、混合液Ｍの濃度と流量のうち、流量の調節を優先する制御の例であり、濃度の調節を優先すべきときは、濃度制御を流量制御よりも先に行うとよい。このときも、薬液Ｃの流量及び純水Ｄの流量の増減の幅を、薬液流量コントローラ１０及び純水流量コントローラ２０の設定値に応じてそれぞれ、１：９のように定めるとよい。このように制御することにより、２つ（薬液及び純水）の変量の制御がぶつかり合うことを避けることができる。このように、実測流量及び実測濃度から混合液Ｍ中の薬液Ｃ分の流量及び純水Ｄ分の流量を算出しない場合は、制御を簡素化することができる。
【００３２】
以上の説明では、混合液Ｍの濃度と流量とを計測することとしたが、濃度を計測して流量は計測しないこととしてもよい。混合液Ｍの濃度は、適合濃度から逸脱した場合、適合濃度より大きすぎても小さすぎても基板Ｗに悪影響を与えるおそれがあるが、混合液Ｍの流量が適合流量より多くても基板Ｗに悪影響を与えるおそれが少ないからである。
図３に、混合液Ｍの濃度を計測して流量は計測しない場合における混合液Ｍの濃度制御のフローチャートを示す。混合液Ｍの流量を計測しない場合も、基板処理装置に薬液Ｃ及び純水Ｄが供給されると、混合液Ｍが生成され、洗浄機４０における基板Ｗの洗浄が開始される（Ｓ１１）。混合液Ｍが洗浄機４０に供給されている際、制御装置６０は、混合液濃度計５１から実測濃度の信号を受信する（Ｓ１３）。次に、制御装置６０は、実測濃度と適合濃度との差が第３の所定の値以下か否かを判断する（Ｓ１７）。第３の所定の値は、基板Ｗの洗浄に悪影響を与えない範囲で適宜決定した上限値であり、例えば適合濃度の１０％と決定することができる。
【００３３】
実測濃度と適合濃度との差が第３の所定の値以下か否かを判断する工程（Ｓ１７）において、第３の所定の値を超えた場合、アラームを作動させて注意を喚起することで（Ｓ１８）、洗浄機４０における基板Ｗの洗浄を迅速に中断させることが可能になる。他方、第３の所定の値以下の場合、制御装置６０は、基板Ｗの洗浄が終了したか否かを判断する（Ｓ２０）。基板Ｗの洗浄が終了していない場合、再び実測濃度と適合濃度との差が第３の所定の値以下か否かを判断する工程（Ｓ１７）に戻る。このようにして、基板Ｗの洗浄が終了するまで、混合液Ｍの濃度を洗浄に適した値に維持するように努めている。他方、基板Ｗの洗浄が終了したか否かを判断する工程（Ｓ２０）において、基板Ｗの洗浄が終了した場合、基板処理装置への薬液Ｃ及び純水Ｄが供給が停止されて終了する。
【００３４】
なお、図３のフローチャートに示す制御において、実測濃度と適合濃度との差が第３の所定の値以下の場合に（工程Ｓ１７でＹｅｓ）、基板Ｗの洗浄が終了したか否かを判断する工程（Ｓ２０）に進むこととしたが、基板Ｗの洗浄が終了したか否かを判断する工程（Ｓ２０）に進む前に、実測濃度を適合濃度に近づける補正を行うこととしてもよい。このような補正の一例として、実測濃度が適合濃度になるように、薬液流量コントローラ１０及び純水流量コントローラ２０の各流量設定値を上下に変更することにより濃度を制御することができる。例えば、実測濃度が適合濃度よりも高い場合、制御装置６０は、薬液流量コントローラ１０の流量設定値を下げ、純水流量コントローラ２０の流量設定値を上げる。このようにすると、薬液Ｃ及び純水Ｄは、それぞれ独立した流量調節装置で各流量が制御され、これらの流量の設定値が制御装置６０で調節されるカスケード制御の形をとるので、安定した制御が可能となる。この実施の形態は、図２を参照して説明した実施の形態において、実測流量が適合流量と差がなかったとした場合の制御と見ることもできる。したがって、濃度制御のための流量設定値の増減の幅は、薬液流量コントローラ１０及び純水流量コントローラ２０の設定値に応じてそれぞれ定めるとよい。また、この実施の形態は、薬液差圧流量計１１及び純水差圧流量計２１の計測値に実際の流量に対するずれが生じても最終的な濃度制御に影響しないものとすることができる。なお、混合液Ｍの流量が適合流量よりも少なくなることを回避するために、混合液Ｍの濃度制御に際して薬液流量コントローラ１０あるいは純水流量コントローラ２０の流量設定値を変更する際は、仮に計算上の合計流量が適合流量を上回ることがあったとしても、当初の流量設定値よりも小さくならない方向での流量設定値の変更を許容することとしてもよい。
【００３５】
上述のように、濃度を計測して流量は計測しないこととすると、混合液流量計５２を設けずに済むと共に、実測流量に関する制御を省略することができ、装置構成を簡素化すると共に制御負担を軽減することができる。
【００３６】
以上の説明では、第１の液体が薬液Ｃであり、第２の液体が純水Ｄであるとしたが、これらとは異なる種類の液体であってもよい。つまり、基板Ｗの処理内容に応じて、処理に適した液体を選定すればよい。
【００３７】
以上の説明では、各差圧流量計１１、２１、混合液濃度計５１、混合液流量計５２を、薬液の濃度を調節するという性質上、質量流量あるいは質量濃度として出力することとしたが、目的に応じて体積流量・体積濃度として出力してもよい。
【００３８】
以上の説明では、流量調節装置が流量コントローラであるとしたが、定圧弁と、差圧流量計と、オリフィスとの組み合わせで構成されていてもよい。つまり、流量調節装置は、ユニットで構成されていてもよく、ここの機器を別々に用意して配置することで構成してもよい。
【符号の説明】
【００３９】
１    基板処理装置
１０  薬液流量コントローラ
１１  薬液差圧計
１２  薬液調節弁
２０  純水流量コントローラ
２１  純水差圧計
２２  純水調節弁
３１  薬液供給管
３２  純水供給管
３３  混合液管
４０  洗浄機
５１  混合液濃度計
５２  混合液流量計
６０  制御装置
Ｃ    薬液
Ｄ    純水
Ｍ    混合液
Ｗ    基板
【図１】
2014229181.tif 000003
【図２】
2014229181.tif 000004
【図３】
2014229181.tif 000005